(57)【要約】【課題】適切に保護機能が働き、誤判定による撮影中断の問題がなくなり、さらに、保護機能をオフで使いつづけることによる危険状態での使用をなくすことができる撮影装置を提供する。【解決手段】撮影装置は、自身の落下または振れをレベル検出する加速度検出センサ１１４を備える。また、加速度検出センサ１１４の出力信号を判定する判定手段（ＣＰＵ１０５、１１３）と、判定手段の判定結果によって記録メディアの記録動作を停止する保護制御手段（ＣＰＵ１０５、１１３）とを備える。また、撮影モードまたは電源モードに応じて加速度検出センサ１１４における複数の検出レベルを設定し、判定手段または保護制御手段の動作を制御する動作制御手段（ＣＰＵ１０５、１１３）を備える。【選択図】図１
2008010126.tif 000002
【特許請求の範囲】
【請求項１】
撮像手段で撮像した画像データを符号化して記録メディアに記録する撮影装置において、
自身の落下または振れをレベル検出するレベル検出手段と、
前記レベル検出手段の出力信号を判定する判定手段と、
前記判定手段の判定結果によって前記記録メディアの記録動作を停止する保護制御手段と、
撮影モードまたは電源モードに応じて前記レベル検出手段における複数の検出レベルを設定し、前記判定手段または前記保護制御手段の動作を制御する動作制御手段と、
を備えることを特徴とする撮影装置。
【請求項２】
前記判定手段は、前記レベル検出手段の出力信号を所定レベルと比較し、または、前記出力信号の継続時間を所定レベルと比較して判定することを特徴とする請求項１記載の撮影装置。
【請求項３】
前記記録メディアは、ハードディスクドライブまたは、光ディスクドライブであることを特徴とする請求項１記載の撮影装置。
【請求項４】
前記電源モードは、カメラモード、電源オフモード、再生モードを含むことを特徴とする請求項１記載の撮影装置。
【請求項５】
前記撮影モードは、自動モード、スポーツモード、ポートレートモード、サーフアンドスノーモード、スポットライトモード、ナイトモードを含むことを特徴とする請求項１記載の撮影装置。
【請求項６】
前記レベル検出手段における複数の検出レベル設定を行うための複数の閾値情報を、選択設定する選択設定手段を備えたことを特徴とする請求項１記載の撮影装置。
【請求項７】
メニュー設定により前記保護制御手段の動作を予め指定する指定手段を備え、前記指定手段は、前記撮影モードまたは電源モードに応じて初期化されることを特徴とする求項１記載の撮影装置。
【発明の詳細な説明】
【技術分野】
【０００１】
本発明は、撮影装置に関し、特に、ハードディスクメディアに撮影した画像情報を記録する、所謂ＨＤＤデジタルビデオカメラ装置またはデジタルカメラ装置のメディア保護動作技術に特徴のある撮影装置に関する。
【背景技術】
【０００２】
従来のデジタルビデオカメラでは、記録メディアとして磁気テープが広く利用されている。これに対して近年、小径（８ｃｍ）ＤＶＤディスクを使ったビデオカメラや、小型ハードディスクドライブ（ＨＤＤ）を内蔵したビデオカメラなどが製品化されており、徐々にテープメディアに対してのシェアを伸ばす傾向にある。
【０００３】
中でも小型ハードディスクドライブを内蔵したビデオカメラは、ＤＶＤディスクに比べて莫大な記録容量を背景に、撮影前に記録メディアを購入したり、何枚ものディスクを持って撮影に出る必要がないことから、人気を得てきている。
【０００４】
但し、ＨＤＤユニットは、ユーザーが簡単に交換することができないこと、現状でも３０ＧＢもの記録容量があることなどにより、ＨＤＤユニットが故障したり、再生困難な状況になると、全ての記録済みのコンテンツが消失する虞がある。そのため、撮影装置の落下やぶつけることによるショックからＨＤＤユニットを保護するための機能が内蔵されている。
【０００５】
この保護機能は、主に加速度センサを内蔵することで、落下を迅速に検出して、ＨＤＤの書き込み動作と通電を停止する動作を行うものである。しかし、時としてユーザーが被写体を追ったり、構図を取る撮影動作で誤動作をしたりする場合もあり、撮影の邪魔になる場合は、メニューで検出動作をオフにすることも可能である。
【０００６】
カメラの落下／振動に対しての保護機能の公知技術として、以下のものがある。
【０００７】
特許文献１には、振動検出手段により所定レベル以上の振動が検出された場合に、振動検出を報知し、撮像された画像データを記憶手段に記憶するか否かを指定する技術が提案されている。
【０００８】
また、特許文献２には、撮影者により把持された際に加えられる圧力を検出して落下判定して撮影者毎に落下判定に用いる基準値を設定する制御を行い、撮像装置が固定部材により固定されている場合には、その制御を中止する技術が提案されている。
【特許文献１】特開平１０−１７４０２７号公報
【特許文献２】特開２００４−１１７８４５号公報
【発明の開示】
【発明が解決しようとする課題】
【０００９】
上記従来技術は、落下や振動からＨＤＤドライブを保護するための基本機能は実現できる。しかし、その保護機能レベルが、ユーザーのカメラ操作に対して適切なレベルに設定されているかという観点、また、その保護機能が適切な時間で働くのかという観点での提案にはなっておらず、一律的な保護動作に留まっている。
【００１０】
このため、ユーザーのカメラ操作が、落下や振動の検出感度に達すると、実際に落下したわけではなくても、誤検出となり保護機能が働き、撮影は中断されてしまう問題が生ずる。これが気になるユーザーは、保護機能をメニュー操作でオフしてしまうことになり、そのまま保護機能が働かない状態で使いつづける問題も生ずる。
【００１１】
本発明の目的は、適切に保護機能が働き、誤判定による撮影中断の問題がなくなり、さらに、保護機能をオフで使いつづけることによる危険状態での使用をなくすことができる撮影装置を提供することにある。
【課題を解決するための手段】
【００１２】
上記目的を達成するために、請求項１記載の撮影装置は、撮像手段で撮像した画像データを符号化して記録メディアに記録する撮影装置において、自身の落下または振れをレベル検出するレベル検出手段と、前記レベル検出手段の出力信号を判定する判定手段と、前記判定手段の判定結果によって前記記録メディアの記録動作を停止する保護制御手段と、撮影モードまたは電源モードに応じて前記レベル検出手段における複数の検出レベルを設定し、前記判定手段または前記保護制御手段の動作を制御する動作制御手段とを備えることを特徴とする。
【発明の効果】
【００１３】
本発明の撮影装置は、自身の落下または振れをレベル検出するレベル検出手段と、レベル検出手段の出力信号を判定する判定手段と、判定手段の判定結果によって記録メディアの記録動作を停止する保護制御手段とを備える。また、撮影モードまたは電源モードに応じてレベル検出手段における複数の検出レベルを設定し、判定手段または保護制御手段の動作を制御する動作制御手段を備える。
【００１４】
このように、撮影装置の落下または振れのレベルを各モードに応じて検出し、その結果により、記録メディアの記録動作を停止するよう保護する。従って、適切に保護機能が働き、誤判定による撮影中断の問題がなくなり、さらに、保護機能をオフで使いつづけることによる危険状態での使用をなくすことができる。
【発明を実施するための最良の形態】
【００１５】
以下、本発明の実施の形態を図面を参照しながら詳細に説明する。
【００１６】
図１は、本発明の実施の形態に係る撮影装置のシステムブロック図である。
【００１７】
図１において、撮影装置は、カメラ・レコーダ処理部１００とＨＤＤドライブユニット部１１０とを備えている。
【００１８】
カメラ・レコーダ処理部１００は、撮像手段としてのカメラ回路１０１、撮像画像データを符号化圧縮して記録データにエンコード、または再生時にデコードするＣＯＤＥＣ１０２、モニター手段であるＬＣＤパネル１０３を備える。
【００１９】
また、カメラ・レコーダ処理部１００は、記録データをＨＤＤドライブユニット部１１０に転送するＡＴＡインターフェース回路１０４、ＣＰＵ１０５、撮影モードダイヤルスイッチ１０６、電源モードダイヤルスイッチ１０７を備える。
【００２０】
ＨＤＤドライブユニット部１１０は、記録データを受けるＡＴＡインターフェース回路１１１、ＨＤＤにデータを記録再生するＨＤＤ駆動回路１１２、ＣＰＵ１１３、装置の落下を検出するための加速度検出センサ１１４を備える。
【００２１】
ＡＴＡインターフェース回路１０４と１１１はＡＴＡ通信データ１２１が送受信される。ＣＰＵ１０５からＣＰＵ１１３に、装置の動作状態に応じて保護検出レベルを制御するレベル制御信号１２２が出力される。ＣＰＵ１１３からＨＤＤ駆動回路１１２に、保護動作を制御する動作制御信号１２３が出力される。加速度検出センサ１１４からはセンサ出力信号１２４がＣＰＵ１１３に出力される。
【００２２】
以下、上記構成の撮影装置の基本動作について説明する。
【００２３】
ＣＰＵ１０５は、電源モードダイヤルスイッチ１０６と撮影モードダイヤルスイッチ１０７の設定に基づいて装置全体の動作制御を行いながら、落下検出のレベル制御信号１２２に、Ｄ／Ａ変換して動作モードに適したアナログレベル信号を出力している。
【００２４】
ＣＰＵ１１３は、このレベル制御信号１２２を受けて、Ａ／Ｄ変換して定まった判定用閾値のレベルデータとして保持し、これとセンサ出力信号１１３を比較判定する。そして、加速度検出センサ１１４の出力信号１２４が閾値よりも大きいと判断した時には、直ちに動作制御信号１２３を出力し、ＨＤＤ駆動回路１１２の動作を停止し、通電を停止する。
【００２５】
これによってＨＤＤドライブユニット部１１０では、ピックアップがディスクから離れショックが起こっても、ディスクにピックアップが衝突することがないように動作する。
【００２６】
その後、保護機能が動作したことはＣＰＵ１０５にも伝達され、カメラ・レコーダ処理部１００で、記録動作が中断されたことに対しての修復動作処理が開始され、ユーザーにはＬＣＤパネル１０３で記録中断のメッセージ表示がなされる。ユーザーは、修復動作処理が完了後、改めて撮影操作が可能となる。
【００２７】
図２は、図１における加速度検出センサによる加速度検出の動作モード表を示す図である。
【００２８】
図２は、撮影装置が落下する際の、ＨＤＤドライブユニット部１１０を保護するための加速度検出レベル（保護レベル）が、モードによってどのように設定されているかを示している。
【００２９】
図２において、電源モードダイヤルスイッチ１０７の設定内容を示す列２０１、撮影モードダイヤルスイッチ１０６の設定内容を示す列２０２、メニュー設定で保護動作のオンとオフを設定できるかどうかの内容を示す列２０３が示される。また、保護検出レベルの検出感度を示す列２０４が示される。
【００３０】
同様に、対応表の列内容を説明している行２０５、再生モードを示す行２０６、電源オフ状態を示す行２０７、カメラ撮影モードの中で撮影モードが６種類設定可能であることから各設定に応じた内容２０８が示される。各撮影モードのプログラムＡＥ動作は、公知の撮像技術であるので詳細説明は省略する。
【００３１】
ここで、加速度検出感度を複数設定する意義について説明する。
【００３２】
撮影モード設定は、全対応が必要なオートモードを除いて、スポーツやサーフアンドスノーは、屋外で比較的大きな動きや速い動きを伴う被写体を撮影するモードであることから、カメラの移動や構図とりのための振れなどは比較的大きい場合が多い。このため、加速度検出感度は低めに設定し、オン状態のままでも誤検出することのないように検出閾値を高く選定している。
【００３３】
一方、ポートレートやスポットライト、ナイトモードでは、被写体の動きは小さく、シャッター速度が比較的遅い撮影となるため、ユーザーがカメラを早く振る可能性は少ないことになる。このため、検出感度は比較的に高く設定し、保護力を向上させることで、よりＨＤＤメディアにとって安全な撮影が可能となる。
【００３４】
以上説明した様に、撮影モードダイヤルの設定によって落下検出の閾値が制御されることにより、ユーザーがその撮影時に行うカメラ操作に適した保護動作が可能となり、保護機能をオフ設定することによるその後のトラブルから回避される効果が得られる。
【００３５】
また、行２０６の再生モードでは、撮影と異なりユーザーはモニター画面に注目している状態であり、装置を振る必要がないことから落下検出の感度は「高」と設定することができる。これにより少しの落下であってもメディア保護機能が働き、撮影装置は、より安全に保護される。
【００３６】
列２０３は、落下保護検出動作の撮影モード時にメニュー画面を開いて、オン／オフをメニュー設定で選択できる内容と動作を示している。「常にオン」は、常時動作を意味しメニュー設定に関わらず、動作オンである。「オン／オフ」は、メニュー選択の設定状態が反映された動作である。「（オンセット）」は、そのモードに入ったことによりメニュー設定がオン設定に初期化される動作を意味する。
【００３７】
本実施の形態では、撮影モードダイヤルスイッチ１０６と電源モードダイヤルスイッチ１０７の各設定により、加速度検出のオン、オフ、加速度検出感度を図２に示すように設定する。
【００３８】
このことにより、適時、撮影装置の使用状況に応じた保護動作（加速度検出のオン、オフ）と保護レベル（加速度検出感度）が選択され、ＨＤＤドライブユニット部１１０の保護機能を制御することができる。
【００３９】
また、各ダイヤル操作により、メニューで保護機能を「オフ」設定して撮影した後でも、電源オフモードを経由した後は、自動的に保護機能が「オン」に設定されることにより、保護機能のメニュー設定に戻すことも可能となる。
【００４０】
図３は、図１における撮影モードダイヤルスイッチを示す図である。
【００４１】
図３において、撮影モードダイヤルスイッチ１０６は、撮影モード操作ダイヤル３０１、全自動モードポジション３０２、スポーツモードポジション３０３、ポートレートポジション３０４、サーフアンドスノーポジション３０５を有する。また、同様に、撮影モードダイヤルスイッチ１０６は、スポットライトポジション３０６、ナイトポジション３０７を有する。
【００４２】
図４は、図１における電源モードダイヤルスイッチを示す図である。
【００４３】
図４において、電源モードダイヤルスイッチ１０７は、電源モード操作ダイヤル４０１、カメラモードポジション４０２、メイン電源オフポジション４０３、再生モードポジション４０４を有する。
【００４４】
図５は、図１におけるＬＣＤパネルのメニュー設定画面を示す図である。
【００４５】
具体的には、図５は、カメラメニュー設定の下の階層であるシステム設定サブメニューの設定項目一覧を表示中のＬＣＤ表示画面を示す。
【００４６】
設定項目「落下検出」は、動作の「オン」と「オフ」が選択されＥＥＰＲＯＭに情報が保持される。図５では、ユーザーが動作オフを選択した場合を示している。この設定に応じて、装置の動作モードに対応した適切な前述の落下保護動作が実行される。
【００４７】
以上説明したように、撮影装置の撮影モードや電源モードにより、記録メディアを落下のショックから守るための保護機能の検出動作を制御することで、ユーザーの操作に適した保護機能を実現することが可能となる。
【００４８】
上記実施の形態は、装置の設定モードに対応して、加速度検出レベルまたは加速度検出時間を予め情報として装置内に保持し所定の検出制御を施した例である。ここで、ユーザーが加速度検出レベルまたは加速度検出時間をモード別に選択し設定する不図示の手段をそなえることも可能である。これによれば、よりユーザーの狙ったレベルでの保護機能を実現することが可能となる。
【図面の簡単な説明】
【００４９】
【図１】本発明の実施の形態に係る撮影装置のシステムブロック図である。
【図２】図１における加速度検出センサによる加速度検出の動作モード表を示す図である。
【図３】図１における撮影モードダイヤルスイッチを示す図である。
【図４】図１における電源モードダイヤルスイッチを示す図である。
【図５】図１におけるＬＣＤパネルのメニュー設定画面を示す図である。
【符号の説明】
【００５０】
１００  カメラ・レコーダ処理部
１０１  カメラ回路
１０２  ＣＯＤＥＣ
１０３  ＬＣＤパネル
１０４  ＡＴＡインターフェース回路
１０５  ＣＰＵ（判定手段、保護制御手段、動作制御手段）
１０６  撮影モードダイヤルスイッチ
１０７  電源モードダイヤルスイッチ
１１０  ＨＤＤドライブユニット部
１１１  ＡＴＡインターフェース回路
１１２  ＨＤＤドライブユニット部
１１３  ＣＰＵ（判定手段、保護制御手段、動作制御手段）
１１４  加速度検出センサ（レベル検出手段）
【図１】
2008010126.tif 000003
【図２】
2008010126.tif 000004
【図３】
2008010126.tif 000005
【図４】
2008010126.tif 000006
【図５】
2008010126.tif 000007